(57)【特許請求の範囲】
【請求項１】
遊技球が発射される遊技盤を備えた遊技機において、
前記遊技盤は、
センタ役物を取付ける為のセンタ取付穴が形成された遊技盤ベースと、
前記遊技盤ベースに組付けられ、且つ複数の障害釘が装着されて遊技球が流下する遊技領域を形成する為の遊技盤部材と、
前記遊技盤ベース及び遊技盤部材の前面を覆うシート部材とを備え、
前記遊技盤ベース及びシート部材により前記遊技盤部材を挟持するサンドイッチ構造を構成するとともに、
前記シート部材が、前記遊技盤ベースの前記センタ取付穴に臨む内周壁に密着するシート折込部を有することを特徴とする遊技機。
【請求項２】
前記遊技盤ベースと前記センタ役物との間に前記シート部材の一部が挟持されたことを特徴とする請求項１に記載の遊技機。
【請求項３】
前記遊技盤ベースの前記内周壁の前端面と、前記遊技盤部材の前面とは、その前者が後者よりも後方に位置するように段差が形成されたことを特徴とする請求項１又は２に記載の遊技機。
【発明の詳細な説明】
【技術分野】
【０００１】
本発明は遊技機に関し、特に遊技盤の構造に関するものである。
【背景技術】
【０００２】
従来のパチンコ遊技機において、一般に、遊技球が発射される遊技盤は合板製であり、この遊技盤に複数の障害釘が圧入状に差込まれて装着されている。一方、合成樹脂製の遊技盤が実用化され、或いは実用化されつつあり、この遊技盤によれば、木材の省資源化を図ることができる。しかし、合板製の遊技盤と比べると、複数の障害釘を装着するのが煩雑になるという課題がある。そこで、合成樹脂製の遊技盤ベースと、この遊技盤ベースに組付けられ且つ複数の障害釘が装着された合板製の遊技盤部材とを備えた遊技盤が公知である（例えば、特許文献１，２参照）。
【０００３】
特許文献１の遊技盤においては、遊技盤ベースと遊技盤部材（中間部材）が、略同形同サイズに、また夫々が遊技盤の厚さ(19mm)を略２等分する厚さ（9mm と10mm）に形成され、遊技盤ベースの前面に遊技盤部材が接合されている。遊技盤ベース及び遊技盤部材には、センタ役物を取付ける為の比較的大きなセンタ取付穴が形成され、また、複数の遊技部品（各種入賞装置等）を取付ける為の複数の取付穴が形成されている。この遊技盤は、更に、遊技盤部材の前面を覆う合成樹脂製のシート部材を備えている。
【０００４】
シート部材には、遊技盤部材の外周部と同形状のシート外周部、前記センタ取付穴と同形状のセンタ取付シート穴、前記複数の取付穴と同形状の複数の取付シート穴が形成され、シート部材は、主に遊技盤部材の前面（他に遊技盤部材に挿入され前方へ露出する遊技盤ベースの光透過凸部の前面）にのみ密着している。このシート部材を形成するために、矩形シート材を遊技盤部材に接着した後に、その矩形シート材に、シート外周部、センタ取付シート穴、複数の取付シート穴等を形成するルータ加工が施される。
【０００５】
特許文献２の遊技盤においては、遊技盤ベースに取付凹部が形成され、この取付凹部に遊技盤部材が嵌合されている。この取付凹部の後端壁に遊技盤部材が当接し複数のビスにより締結され、遊技盤ベースの前面と遊技盤部材の前面は同一平面上に位置する。尚、特許文献１のようなシート部材は設けられていない。
【先行技術文献】
【特許文献】
【０００６】
【特許文献１】特開２０１０−１７４８０号公報
【特許文献２】特開２００９−２７９１８８号公報
【発明の概要】
【発明が解決しようとする課題】
【０００７】
特許文献１の遊技盤では、シート部材は主に遊技盤部材の前面にのみ密着されるものである故、このシート部材を見栄え良く確実に形成するために、矩形シート材を遊技盤部材に接着した後に、その矩形シート材に、シート外周部、センタ取付シート穴、複数の取付シート穴等を全て精度よく形成する煩雑なルータ加工を施す必要がある。つまり、シート部材を見栄え良く簡単に確実に加工することが難しく、遊技盤の生産性が低下する。
【０００８】
しかも、遊技盤ベース及びシート部材により遊技盤部材を挟持するサンドイッチ構造が構成されるが、このサンドイッチ構造において、シート部材は主に遊技盤部材の前面にのみ密着されるため、つまり、遊技盤ベースにシート部材を直接密着させることができないため、遊技盤ベース、遊技盤部材、及びシート部材の一体性を高めること、即ち、シート部材により遊技盤部材を遊技盤ベースに保持する効果を高めることに限界がある。
【０００９】
また、特許文献１の遊技盤では、遊技盤部材の厚さが遊技盤の厚さよりも小さくなるため、具体的には凡そ半分の厚さになるため、この遊技盤の厚さを従来の合板製の遊技盤の厚さに維持した場合、遊技盤部材に障害釘を十分に挿入して装着できないという問題が生じる。つまり、障害釘が遊技球から衝撃を受けて全体的に曲がったり、抜け落ちたりする虞が懸念される。特許文献２の遊技盤では、シート部材は設けられていないが、前記同様、遊技盤部材の厚さが遊技盤の厚さよりも小さくなるため、この遊技盤部材にも障害釘を十分に挿入して装着できないという虞がある。
【００１０】
本発明の目的は、遊技機において、遊技盤ベース及びシート部材により遊技盤部材を挟持するサンドイッチ構造を構成し、このサンドイッチ構造において、遊技盤ベース、遊技盤部材、及びシート部材の一体性を高めることができる遊技盤を提供することである。
【課題を解決するための手段】
【００１１】
第１の発明（遊技機）は、遊技球が発射される遊技盤(1)を備えた遊技機(P)において、前記遊技盤(1) は、遊技盤ベース(2)と、センタ役物(PC)を取付ける為のセンタ取付穴(10)が形成された遊技盤ベース(2)に組付けられ、且つ複数の障害釘(PN)が装着されて遊技球が流下する遊技領域(1a)を形成する為の遊技盤部材(3A)と、前記遊技盤ベース(2)及び遊技盤部材(3A)の前面を覆うシート部材(4)とを備え、前記遊技盤ベース(2)及びシート部材(4)により前記遊技盤部材(3A)を挟持するサンドイッチ構造(37)を構成するとともに、前記シート部材(4)が、前記遊技盤ベース(2)の前記センタ取付穴(10)に臨む内周壁(14)に密着するシート折込部(31)を有することを特徴とする。
【００１４】
第２の発明は、第１発明において、前記遊技盤ベース(2)と前記センタ役物(PC)との間に前記シート部材(4)の一部が挟持されたことを特徴とする。
【００１５】
第３の発明は、第１又は第２の発明において、前記遊技盤ベース(2)の内周壁(14)の前端面と、前記遊技盤部材(3A)の前面とは、その前者が後者よりも後方に位置するように段差が形成されたことを特徴とする。
【発明の効果】
【００１６】
本発明（遊技機）によれば、遊技盤において、木材の省資源化を図り、遊技盤ベース及びシート部材により遊技盤部材を挟持するサンドイッチ構造を構成し、このサンドイッチ構造において、シート部材に遊技盤ベースのセンタ取付穴に臨む内周壁に密着するシート折込部を設けて、遊技盤ベース、遊技盤部材、及びシート部材の一体性を高めることができ、シート部材を見栄え良く簡単に確実に加工し、遊技盤の生産性を高めることができる。
【図面の簡単な説明】
【００１７】
【図１】パチンコ遊技機のシート部材を分離した遊技盤と液晶ユニットの斜視図である。
【図２】遊技盤の斜視図である。
【図３】遊技盤の正面図である。
【図４】遊技盤の背面図である。
【図５】遊技盤ベースの斜視図である。
【図６】遊技盤ベースの正面図である。
【図７】第１遊技盤部材の斜視図である。
【図８】第１遊技盤部材の正面図である。
【図９】第１遊技盤部材の背面図である。
【図１０】第１遊技盤部材の右側面図である。
【図１１】第２遊技盤部材の斜視図である。
【図１２】第２遊技盤部材の正面図である。
【図１３】第２遊技盤部材の背面図である。
【図１４】第２遊技盤部材の平面図である。
【図１５】第３遊技盤部材の斜視図である。
【図１６】第３遊技盤部材の正面図である。
【図１７】第３遊技盤部材の背面図である。
【図１８】第３遊技盤部材の右側面図である。
【図１９】シート部材の斜視図である。
【図２０】シート部材の正面図である。
【図２１】図１のXXI −XXI 線断面図である。
【図２２】図１のXXII−XXII線断面図である。
【図２３】図１のXXIII −XXIII 線断面図である。
【図２４】図１のXXIV−XXIV線断面図である。
【図２５】遊技盤製造方法の工程図である。
【発明を実施するための形態】
【００１８】
以下、発明を実施するための形態について実施例に基づいて説明する。
【実施例】
【００１９】
図１に示すように、パチンコ遊技機Ｐは、遊技球が発射される遊技盤１を備え、この遊技盤１には、液晶ディスプレイＰＤを有する液晶ユニットＰＵが後側から取付けられている。尚、図示省略するが、パチンコ遊技機Ｐには、遊技ホールの島構造体に取付けられる外枠に開閉枠が開閉自在に装着され、この開閉枠に遊技盤１が取付けられる。また、開閉枠に透明板を有する開閉扉が開閉自在に装着され、遊技盤１とその前側に位置する開閉扉の透明板との間に遊技球が流下可能な遊技領域１ａが形成される。
【００２０】
図１〜図４、図２１〜図２４に示すように、遊技盤１は、合成樹脂製の遊技盤ベース２と、遊技盤ベース２に組付けられる合板製の第１，第２，第３遊技盤部材３Ａ，３Ｂ，３Ｃであって、夫々遊技部品が装着されて遊技領域１ａを形成する為の第１〜第３遊技盤部材３Ａ〜３Ｃと、遊技盤ベース２及び第１〜第３遊技盤部材３Ａ〜３Ｃの前面を覆う合成樹脂製のシート部材４とを備えている。
【００２１】
先ず、遊技盤ベース２について詳しく説明する。
図２〜図６に示すように、遊技盤ベース２は遊技盤１の輪郭を形成し、この遊技盤ベース２に液晶ユニットＰＵが取付けられる。遊技盤ベース２の外周部は略矩形（正方形）に形成され、遊技盤ベース２には、センタ役物ＰＣ（図２１、図２３、図２４参照）を取付ける為の比較的大きなセンタ取付穴１０が形成され、そのセンタ取付穴１０の周囲において右上部分を除く部分に、第１〜第３遊技盤部材３Ａ〜３Ｃが夫々嵌合される第１，第２，第３取付凹部１１Ａ，１１Ｂ，１１Ｃが形成されている。
【００２２】
遊技盤ベース２はセンタ取付穴１０に臨む内周壁１４を有し、その内周壁１４に沿って第１〜第３取付凹部１１Ａ〜１１Ｃが湾曲状に並ぶように設けられている。第１〜第３取付凹部１１Ａ〜１１Ｃは、前方へ開口するように形成され、夫々、後端壁１２Ａ，１２Ｂ，１２Ｃと、周壁１３Ａ，１３Ｂ，１３Ｃとを有する。各取付凹部１１Ａ〜１１の周壁１３Ａ，１３Ｂ，１３Ｃの一部は前記内周壁１４により形成されている。
【００２３】
遊技盤ベース２には、第１，第２取付凹部１１Ａ，１１Ｂの間に、閃光ランプ（図示略）を取付ける為の直線状のランプ取付溝１５が、センタ取付穴１０と連通するように形成され、第２，第３取付凹部１１Ｂ，１１Ｃの間に、別の閃光ランプ（図示略）を取付ける為の直線状のランプ取付溝１６が、センタ取付穴１０と連通するように形成されている。
【００２４】
遊技盤ベース２には、第１取付凹部１１Ａの後端壁１２Ａに電飾ランプ（図示略）を取付ける為のランプ取付穴１７が形成され、第１，第２取付凹部１１Ａ，１１Ｂの後端壁１２Ａ，１２Ｂに亙って別の電飾ランプ（図示略）を取付ける為のランプ取付穴１８が形成され、第２取付凹部１１Ｂの後端壁１２Ｂに入賞口役物（図示略）を取付ける為の役物取付穴１９が形成されている。尚、遊技盤ベース２の後面部には強度を高める為の複数のリブが形成されている（図４参照）。
【００２５】
第１取付凹部１１Ａの後端壁１２Ａには、３つの貫通穴部１２Ａ１，１２Ａ２，１２Ａ３が分割された状態で形成され、各貫通穴部１２Ａ１〜１２Ａ３の周囲に後端壁１２Ａが存在するように設けられている。第２取付凹部１１Ｂの後端壁１２Ｂには、２つの貫通穴部１２Ｂ１，１２Ｂ２が分割された状態で形成され、各貫通穴部１２Ｂ１，１２Ｂ２の周囲に後端壁１２Ｂが存在するように設けられている。
【００２６】
第３取付凹部１１Ｃの後端壁１２Ｃには、貫通穴部１２Ｃ１が形成され、この貫通穴部１２Ｃ１の周囲に後端壁１２Ｃが存在するように設けられている。尚、遊技盤ベース２は、その第１，第２遊技盤ベース２Ａ，２Ｂが夫々射出成形により形成され、これら第１，第２遊技盤ベース２Ａ，２Ｂを結合して構成されている。
【００２７】
次に、第１，第２，第３遊技盤部材３Ａ，３Ｂ，３Ｃについて詳しく説明する。
尚、例えば、第１遊技盤ベース２Ａの厚さが約19mm（但し、その内周壁１４の厚さは約16mm）、第２遊技盤ベース２Ｂの厚さが約16mm、取付凹部１１Ａ〜１１Ｃの深さが約13mm〜16mm、後端壁１２Ａ〜１２Ｃの厚さが約3mm 、遊技盤部材３Ａ，３Ｂ，３Ｃの厚さが第１遊技盤ベース２Ａの厚さと同じ約19mmとなっている。
【００２８】
図２〜図４、図７〜図１０に示すように、第１遊技盤部材３Ａは、その大部分を形成する本体部２０Ａを有するとともに、後部に本体部２０Ａから後方へ突出する３つの凸部２１Ａ１，２１Ａ２，２１Ａ３を有する。本体部２０Ａが第１取付凹部１１Ａに嵌合され後端壁１２Ａに当接した状態で、３つの凸部２１Ａ１〜２１Ａ３が後端壁１２Ａに形成された３つの貫通穴部１２Ａ１〜１２Ａ３に夫々嵌合されている。この状態で、複数のビス（図示略）により本体部２０Ａが後端壁１２Ａに締結されている。遊技盤ベース２（第１遊技盤ベース２Ａ）の内周壁１４の前端面及び第２遊技盤ベース２Ｂの前面と、第１遊技盤部材３Ａの前面とは、その前者が後者よりも約3mm 後方に位置するように段差が形成されている。
【００２９】
本体部２０Ａには２つの穴形成用の切欠部２２Ａ１，２２Ａ２が形成され、前記ランプ取付穴１７は、切欠部２２Ａ１と第１取付凹部１１Ａの周壁１３Ａによって、また、前記ランプ取付穴１８の一部は、切欠部２２Ａ２と第１取付凹部１１Ａの周壁１３Ａによって、夫々、遊技盤ベース２と第１遊技盤部材３Ａとに亙って形成されている。
【００３０】
第１遊技盤部材３Ａには、遊技部品として、複数の障害釘ＰＮ（図２３、図２４参照）と遊技球が通過可能なゲート（図示略）が装着されている。第１遊技盤部材３Ａ（本体部２０Ａ）に、３つの位置決め穴２３Ａが後面側から形成され、第１取付凹部１１Ａの後端壁１２Ａに、３つの位置決め穴２３Ａに夫々係合する３つの位置決めピン２４Ａが前方突出状に形成されている（図５、図６参照）。
【００３１】
図２〜図４、図１１〜図１４に示すように、第２遊技盤部材３Ｂは、その大部分を形成する本体部２０Ｂを有するとともに、後部に本体部２０Ｂから後方へ突出する２つの凸部２１Ｂ１，２１Ｂ２を有する。本体部２０Ｂが第２取付凹部１１Ｂに嵌合され後端壁１２Ｂに当接した状態で、２つの凸部２１Ｂ１，２１Ｂ２が後端壁１２Ｂに形成された２つの貫通穴部１２Ｂ１，１２Ｂ２に夫々嵌合されている。この状態で、複数のビスにより本体部２０Ｂが後端壁１２Ｂに締結されている。遊技盤ベース２の内周壁１４の前端面及び第２遊技盤ベース２Ｂの前面と、第２遊技盤部材３Ｂの前面とは、その前者が後者よりも約3mm 後方に位置するように段差が形成されている。
【００３２】
本体部２０Ｂには２つの穴形成用の切欠部２２Ｂ１，２２Ｂ２と、穴部２２Ｂ３とが形成され、前記ランプ取付穴１８の一部は、切欠部２２Ｂ１と第２取付凹部１１Ｂの周壁１３Ｂによって、また、前記役物取付穴１９は切欠部２２Ｂ２と第２取付凹部１１Ｂの周壁１３Ｂによって、夫々、遊技盤ベース２と第２遊技盤部材３Ｂとに亙って形成されている。穴部２２Ｂ３は、入賞口役物を取付ける為のものであり、貫通状に形成されている。
【００３３】
第２遊技盤部材３Ｂには、遊技部品として、複数の障害釘ＰＮと前記入賞口役物が装着されている。第２遊技盤部材３Ｂ（本体部２０Ｂ）に、１対の位置決め穴２３Ｂが後面側から形成され、第２取付凹部１１Ｂの後端壁１２Ｂに、１対の位置決め穴２３Ｂに夫々係合する１対の位置決めピン２４Ｂが前方突出状に形成されている（図５、図６参照）。
【００３４】
図２〜図４、図１５〜図１８に示すように、第３遊技盤部材３Ｃは、その大部分を形成する本体部２０Ｃを有するとともに、後部に本体部２０Ｃから後方へ突出する凸部２１Ｃ１を有する。本体部２０Ｃが第３取付凹部１１Ｃに嵌合され後端壁１２Ｃに当接した状態で、凸部２１Ｃ１が後端壁１２Ｃに形成された貫通穴部１２Ｃ１に嵌合されている。この状態で、複数のビスにより本体部２０Ｃが後端壁１２Ｃに締結されている。遊技盤ベース２の内周壁１４の前端面と、第３遊技盤部材３Ｃの前面とは、その前者が後者よりも約3mm 後方に位置するように段差が形成されている。
【００３５】
第３遊技盤部材３Ｃには、遊技部品として、複数の障害釘ＰＮと遊技球が通過可能なゲート（図示略）が装着されている。第３遊技盤部材３Ｃ（本体部２０Ｃ）に、位置決め穴２３Ｃが後面側から形成され、第３取付凹部１１Ｃの後端壁１２Ｃに、位置決め穴２３Ｃに係合する位置決めピン２４Ｃが前方突出状に形成されている（図５、図６参照）。尚、第１〜第３遊技盤部材３Ａ〜３Ｃの前面は、第１遊技盤ベース２Ａにおいて、前記内周壁１４以外の部分の前面と同一平面上に位置している。
【００３６】
尚、前記入賞口役物には、遊技球が通過可能な第１始動口（所謂ヘソ）、開閉式の第２始動口（所謂電チュー）、及び開閉式の大入賞口（所謂アタッカー）が設けられている。発射装置（図示略）により遊技球が遊技領域１ａに発射され、遊技領域１ａを流下する遊技球が、第１又は第２始動口を通過することを条件に特図抽選（大当り抽選）が行われ、ゲートを通過することを条件に普図抽選（当り抽選）が行われる。そして、特図抽選で当選した場合、大入賞口が複数ラウンドに亙って開閉する大当り遊技が発生し、普図抽選で当選した場合、第２始動口が１又は複数回開閉する補助遊技が発生する。
【００３７】
次に、シート部材４について詳しく説明する。
図１、図１９〜図２４に示すように、シート部材４は厚さ1mm 〜2mm に形成され、このシート部材４に遊技盤１を装飾する装飾画（セル画）が印刷されている。
【００３８】
シート部材４は、遊技盤ベース２及び第１〜第３遊技盤部材３Ａ〜３Ｃの前面に密着するシート本体部３０と、遊技盤ベース２のセンタ取付穴１０に臨む内周壁１４（遊技盤ベース２の輪郭を形成する周面部の一部）の内面全周に亙って密着するシート折込部３１とを有する。シート本体部３０は、同一面上に位置する第１遊技盤ベース２Ａの前面及び第１〜第３遊技盤部材３Ａ〜３Ｃの前面に密着する第１シート本体部３０ａと、第２遊技盤ベース２Ｂの前面に密着する第２シート本体部３０ｂとを有する。
【００３９】
更に、シート部材４は、遊技盤ベース２のセンタ取付穴１０に臨む内周壁１４の前端側に位置する前端内周面（図２１参照）と、センタ取付穴１０に臨む遊技盤部材３Ａ〜３Ｃの前端内周面（図２３、図２４参照）とに密着する第１シート屈曲部３２と、遊技盤ベース２の内周壁１４の前端面に密着する第２シート屈曲部３３とを有する。第１シート本体部３０ａに第１屈曲部３２が繋がり、第１シート屈曲部３２に第２シート屈曲部３３が繋がり、第２シート屈曲部３３にシート折込部３１が繋がっている。
【００４０】
また、シート部材４は、第１遊技盤ベース２Ａのうち第２遊技盤ベース２Ｂと接合される側の周面前端部（図２２参照）に密着する第３シート屈曲部３４と、遊技盤部材３Ａ，３Ｂのうち第２遊技盤ベース２Ｂ側の外周面前端部（図２４参照）に密着する第４シート屈曲部３５とを有する。第３，第４屈曲部３４，３５は、第１，第２シート本体部３０ａ，３０ｂの境界部分に形成されている。
【００４１】
センタ役物ＰＣは、その外周部分が遊技盤ベース２の内周壁１４の前端面にシート部材４の第２シート屈曲部３３を介して当接した状態で遊技盤ベース２に固定されている（図２１、図２３、図２４参照）。つまり、遊技盤ベース２とセンタ役物ＰＣとの間にシート部材４の一部（第２シート屈曲部３３）が挟持されている。ここで、図２３、図２４に示すように、遊技盤ベース２及びシート部材４により遊技盤部材３Ａ〜３Ｃを挟持するサンドイッチ構造３７が構成されている。
【００４２】
シート本体部３０には、シート折込部３１を介して前記センタ取付穴１０に対応するセンタ穴４０が形成されるとともに、前記ランプ取付溝１５，１６に夫々対応するスリット４１，４２、前記ランプ取付穴１７，１８に対応する切欠部４３、前記役物取付穴１９と穴部２２Ｂ３に夫々対応する穴４４，４５が形成されている。
【００４３】
次に、前記遊技盤１を製造する遊技盤製造方法について説明する。
図２５に示すように、先ず、第１工程［Ｐ１］において、図５、図６に示す遊技盤ベース２を射出成形により形成する。この場合、第１，第２遊技盤ベース２Ａ，２Ｂを夫々射出成形により形成し、これら第１，第２遊技盤ベース２Ａ，２Ｂを結合する。ここで、第１遊技盤ベース２Ａの前面が第２遊技盤ベース２Ｂよりも少し前方へ位置する。また、第２工程［Ｐ２］において、図７〜図１０に示す第１遊技盤部材３Ａ、図１１〜図１４に示す第２遊技盤部材３Ｂ、図１５〜図１８に示す第３遊技盤部材３Ｃを形成する。
【００４４】
次に、第３工程［Ｐ３］において、図２〜図４に示すように、遊技盤ベース２に第１〜第３遊技盤部材３Ａ〜３Ｃを組付ける。ここで、第１〜第３遊技盤部材３Ａ〜３Ｃを、遊技盤ベース２の第１〜第３取付凹部１１Ａ〜１１Ｃに嵌合させて、それらの後端壁１２Ａ〜１２Ｃに当接させる。ここで、第１遊技盤ベース２Ａの前面と第１〜第３遊技盤部材３Ａ〜３Ｃの前面が同一平面上に位置する。
【００４５】
これにより、第１遊技盤部材３Ａの凸部２１Ａ１〜２１Ａ３が後端壁１２Ａに形成された貫通穴部１２Ａ１〜１２Ａ３に嵌合され、第２遊技盤部材３Ｂの凸部２１Ｂ１，２１Ｂ２が後端壁１２Ｂに形成された貫通穴部１２Ｂ１，１２Ｂ２に嵌合され、第３遊技盤部材３Ｃの凸部２１Ｃ１が後端壁１２Ｃに形成された貫通穴部１２Ｃ１に嵌合される。この状態で、遊技盤ベース２に第１〜第３遊技盤部材３Ａ〜３Ｃを複数のビスで締結する。
【００４６】
その後、第４工程［Ｐ４］において、遊技盤ベース２及び遊技盤部材３Ａ〜３Ｃに対して、矩形シート材を用いて３次元ラミネート加飾成形を施して、図２１〜図２４に示すように、第１，第２遊技盤ベース２Ａ，２Ｂ、第１〜第３遊技盤部材３Ａ〜３Ｃに密着する、第１，第２シート本体部３０ａ，３０ｂ、シート折込部３１、第１〜第４シート屈曲部３２〜３５を有するシート部材４を形成する。
【００４７】
この３次元ラミネート加飾成形は、図示省略するが、例えば、専用の圧力調整ボックスを有する設備を用いて行われる。先ず、圧力調整ボックス内の昇降機に基材となる遊技盤ベース２及び遊技盤部材３Ａ〜３Ｃがセットされ、矩形シート材が基材（昇降機）の上側において圧力調整ボックスを上下に仕切るようにセットされる。次に、矩形シート材が加熱されて軟化し、圧力調整ボックス内の矩形シート材の上側に対して下側を負圧にした状態で、昇降機により基材が上昇される。すると、軟化した矩形シート材が基材の表面にその形状に沿って隙間なく密着されていく。その後、矩形シート材が冷却されて硬化し、３次元ラミネート加飾成形が完了する。
【００４８】
次に、第５工程［Ｐ５］において、シート部材４にルータ加工を施して、シート部材４の不必要な部分を切断する。ここで、シート部材４に、センタ穴４０、スリット４１，４２、切欠部４３、穴４４，４５等が形成され（図１９、図２０参照）、特に、センタ穴４０の形成に際して、シート部材４は遊技盤ベース２の内周壁１４に密着するシート折込部３１を残して切断される。こうして、第１，第２シート本体部３０ａ，３０ｂ、シート折込部３１、第１〜第４シート屈曲部３２〜３５を有するシート部材４が形成される。
【００４９】
次に、第６工程［Ｐ６］において、遊技盤ベース２に、第１〜第３遊技盤部材３Ａ〜３Ｃの他の遊技盤部材（図示略）を組付けて、遊技盤１の製造が完了し、その後、この遊技盤１（遊技盤ベース２、第１〜第３遊技盤部材３Ａ〜３Ｃ、シート部材４）に、複数の障害釘、入賞口役物、ゲート、センタ役物ＰＣ等の遊技部品が組付けられる。
【００５０】
尚、第６工程［Ｐ６］において組付けられる他の遊技盤部材として、遊技盤ベース２の前面に固着される１又は複数の遊技盤部材を有し、この遊技盤部材と遊技盤ベース２との間にもシート部材４の一部（シート本体部３０の一部）が挟持されることになる。その遊技盤部材には、遊技領域１ａの周囲を仕切るレール部材、発射装置により発射された遊技球を遊技領域１ａに導くレール部材が取付けられており、このレール部材が取付けられた状態の遊技盤部材が遊技盤ベース２に組付けられる。
【００５１】
以上説明した遊技盤１及びその製造方法によれば次の効果を奏する。
先ず、遊技盤１は、遊技盤ベース２と、遊技盤ベース２に組付けられ、且つ複数の障害釘ＰＮが装着されて遊技球が流下する遊技領域１ａを形成する為の第１〜第３遊技盤部材３Ａ〜３Ｃとを備えたので、略全体が合板製の遊技盤と比べると、木材の省資源化を図ることができ、しかも、合板製の遊技盤と同様、複数の障害釘ＰＮを遊技盤部材３Ａ〜３Ｃに圧入状に差込んで容易に装着することができる。
【００５２】
また、遊技盤１は、遊技盤ベース２及び遊技盤部材３Ａ〜３Ｃの前面を覆うシート部材４を備えたので、このシート部材４により遊技球が円滑に流下可能な遊技領域１ａを形成することができ、シート部材４に装飾画（セル画）を印刷して、遊技盤１を容易に装飾するこができ、遊技盤ベース２及びシート部材４により第１〜第３遊技盤部材３Ａ〜３Ｃを挟持するサンドイッチ構造３７を構成することができる。
【００５３】
シート部材４が、遊技盤ベース２の輪郭を形成する周面部の一部である内周壁１４にその内面全周に亙って密着するシート折込部３１を有するので、サンドイッチ構造３７において、シート部材４を遊技盤ベース２に直接密着させて、遊技盤ベース２、遊技盤部材３Ａ〜３Ｃ、及びシート部材４の一体性を高めることができ、即ち、シート部材４により遊技盤部材３Ａ〜３Ｃを遊技盤ベース２に保持する効果を高めることができる。
【００５４】
しかも、遊技盤ベース２とセンタ役物ＰＣとの間にシート部材４の一部（第２シート屈曲部３３）が挟持されるため、また、遊技盤ベース２に組付けられる遊技盤部材３Ａ〜３Ｃ以外の遊技盤部材と遊技盤ベース２との間にもシート部材４の一部（シート本体部３０の一部）を挟持させることができるため、遊技盤ベース２、遊技盤部材３Ａ〜３Ｃ、及びシート部材４の一体性を一層高めることができる。
【００５５】
遊技盤ベース２及び遊技盤部材３Ａ〜３Ｃに対して、矩形シート材を用いて３次元ラミネート加飾成形を施して、遊技盤ベース２、遊技盤部材３Ａ〜３Ｃに密着する第１，第２シート本体部３０ａ，３０ｂ、シート折込部３１、第１〜第４シート屈曲部３２〜３５を有するシート部材４を簡単に確実に形成することができる。
【００５６】
その後、シート部材４にルータ加工が施されるが、そこで、特に、シート折込部３１は外部へ露出しない部位である故、シート折込部３１に対する厳密なルータ加工（切断処理）を必要としないため、そして、このシート折込部３１に対するルータ加工は、ルータ加工全体の比較的多くを占めるため、加工負荷が軽減され、シート部材４を見栄え良く簡単に確実に加工し、遊技盤１の生産性を高めることができる。
【００５７】
遊技盤部材３Ａは、その後部に後方へ突出する凸部２１Ａ１，２１Ａ２，２１Ａ３を有し、遊技盤ベース２は、遊技盤部材３Ａが嵌合される且つ後端壁１２Ａを有する取付凹部１１Ａと、後端壁１２Ａに形成されて遊技盤部材３Ａの凸部２１Ａ１，２１Ａ２，２１Ａ３が嵌合される貫通穴部１２Ａ１，１２Ａ２，１２Ａ３とを有するので、遊技盤部材３Ａを遊技盤ベース２に安定的に組付けることができ、遊技盤１の厚さをほぼ従来の遊技盤の厚さ（19mm）に維持して、遊技盤部材３Ａの厚さも遊技盤１の厚さ分確保することができる。
【００５８】
つまり、遊技盤部材３Ａの厚さを、この遊技盤部材３Ａに障害釘ＰＮを圧入状に差込んで装着する上で問題のない十分な厚さとすることができ、障害釘ＰＮが遊技球から衝撃を受けて全体的に曲がったり、抜け落ちたりする問題を抑制できる。尚、遊技盤部材２Ｂ，２Ｃ、及び遊技盤部材２Ｂ，２Ｃ対応する取付凹部１１Ｂ，１１Ｃについても、前記同様の構成を有するとともに、前記同様の効果を奏する。
【００５９】
遊技盤ベース２の内周壁１４の前端面と、遊技盤部材３Ａ〜３Ｃの前面とは、その前者が後者よりも後方に位置するように段差が形成されているため、特に三次元ラミネート加飾成形により、シート部材４が遊技盤部材３Ａ〜３Ｃの内周端縁を綺麗に形取るように、シート部材４を成形加工することができる。そして、この段差を形成する内周壁１４の前端面に、センタ役物ＰＣの外周部を当接状に良好に取付けることができる。
【００６０】
尚、その他、本発明の趣旨を逸脱しない範囲において、種々の変更を付加して実施可能である。例えば、遊技盤部材、及び遊技盤ベースに形成される取付凹部の数、形状、サイズ等については、その遊技盤の構成上、適宜変更可能である。この場合、遊技盤ベースを射出成形する際、共通の金型本体に種々の入子型を着脱可能にセットして、種々の遊技盤ベースに形成可能にして、遊技盤製造用の設備コストを低減することができる。
【００６１】
また、前記実施例では、シート部材４に装飾画（セル画）を印刷したが、そうしないで、遊技盤ベース２及び遊技盤部材３Ａ〜３Ｃの前面に、別途、装飾画が描かれたセル画シートを配設してもよい。この場合、セル画シートを遊技盤ベース２及び遊技盤部材３Ａ〜３Ｃの前面にセットした状態で、三次元ラミネート加飾成形を施して、セル画シートは、遊技盤ベース２及び遊技盤部材３Ａ〜３Ｃと、透明なシート部材４との間に挟み込まれ状態で組付けられる。
【００６２】
また、シート部材４に、遊技盤ベース２の輪郭を形成する外周面に全周に亙って密着するシート折込部を設け、即ち、前記シート折込部３１と合わせて、遊技盤ベース２の輪郭を形成する周面部の全部に密着するシート折込部を設けてもよい。また、遊技盤ベース２及び遊技盤部材３Ａ〜３Ｃに形成された溝１５，１６や穴１６，１７，１８の内面部に密着するシート折込部をシート部材４に設けてもよい。
【００６３】
尚、本発明については、種々の遊技機（パチンコ遊技機）に装備される遊技盤とその製造方法に適用可能である。
【符号の説明】
【００６４】
Ｐ  パチンコ遊技機
ＰＣ  センタ役物
ＰＮ  障害釘
１  遊技盤
１ａ  遊技領域
２  遊技盤ベース
３Ａ，３Ｂ，３Ｃ  第１，第２，第３遊技盤部材
４  シート部材
１０  センタ取付穴
１１Ａ，１１Ｂ，１１Ｃ  第１，第２，第３取付凹部
１２Ａ，１２Ｂ，１２Ｃ  後端壁
１２Ａ１，１２Ａ２，１２Ａ３，１２Ｂ１，１２Ｂ２，１２Ｃ１  貫通穴部
１４  内周壁
２１Ａ１，２１Ａ２，２１Ａ３，２１Ｂ１，２１Ｂ２，２１Ｃ１  凸部
３１  シート折込部
３７  サンドイッチ構造
【図１】
0005391303.tif 000002
【図２】
0005391303.tif 000003
【図３】
0005391303.tif 000004
【図４】
0005391303.tif 000005
【図５】
0005391303.tif 000006
【図６】
0005391303.tif 000007
【図７】
0005391303.tif 000008
【図８】
0005391303.tif 000009
【図９】
0005391303.tif 000010
【図１０】
0005391303.tif 000011
【図１１】
0005391303.tif 000012
【図１２】
0005391303.tif 000013
【図１３】
0005391303.tif 000014
【図１４】
0005391303.tif 000015
【図１５】
0005391303.tif 000016
【図１６】
0005391303.tif 000017
【図１７】
0005391303.tif 000018
【図１８】
0005391303.tif 000019
【図１９】
0005391303.tif 000020
【図２０】
0005391303.tif 000021
【図２１】
0005391303.tif 000022
【図２２】
0005391303.tif 000023
【図２３】
0005391303.tif 000024
【図２４】
0005391303.tif 000025
【図２５】
0005391303.tif 000026